(57)【要約】【課題】第１遮光層と第２遮光層との境界が視認されてしまう可能性を低減する入力装置、表示装置、および電子機器を提供する。【解決手段】入力装置Ｘ１は、第２主面２Ｂおよび第２主面２Ｂに隣接する端面２Ｃを有しており、透光性を有した基体２と、非入力領域Ｅ２に対応する基体２の第２主面２Ｂ上に設けられており、入力領域Ｅ１を取り囲むように位置する第１遮光層６と、非入力領域Ｅ２に対応する基体２の第２主面２Ｂ上に設けられており、入力領域Ｅ１を取り囲むように位置しており、平面視して一部１０ａが第１遮光層６よりも基体２の端面２Ｃ側に位置し残部１０ｂが第１遮光層６の縁部６ａと重なる第２遮光層１０と、を備え、縁部６ａは、基体２の端面２Ｃに近づくにつれて厚みが小さくなっている。【選択図】図４
2014075080.tif 000002
【特許請求の範囲】
【請求項１】
入力領域および非入力領域を有した入力装置であって、
主面および該主面に隣接する端面を有しており、透光性を有した基体と、
前記非入力領域に対応する前記基体の前記主面上に設けられており、前記入力領域を取り囲むように位置する第１遮光層と、
前記非入力領域に対応する前記基体の前記主面上に設けられており、前記入力領域を取り囲むように位置しており、平面視して一部が前記第１遮光層よりも前記基体の前記端面側に位置し残部が前記第１遮光層の縁部と重なる第２遮光層と、を備え、
前記縁部は、前記基体の前記端面に近づくにつれて厚みが小さくなっている、入力装置。
【請求項２】
前記縁部には、前記入力領域を取り囲むように複数の窪み部が設けられている、請求項１に記載の入力装置。
【請求項３】
前記縁部は、第１部位、および該第１部位よりも前記入力領域側に位置しており且つ前記第１部位と隣り合う第２部位を含んでおり、
前記第１部位に設けられた前記窪み部の平面視における開口面積は、前記第２部位に設けられた前記窪み部の平面視における開口面積よりも大きい、請求項２に記載の入力装置。
【請求項４】
前記第２遮光層は、前記窪み部に入り込んでいる、請求項２または３に記載の入力装置。
【請求項５】
前記縁部の表面は、凹曲面をなしている、請求項１〜４のいずれか一項に記載の入力装置。
【請求項６】
前記基体の前記主面上に設けられており、前記第１遮光層を被覆しており、透光性を有した保護層をさらに備え、
前記第２遮光層は、前記保護層上に位置している、請求項１〜５のいずれか一項に記載の入力装置。
【請求項７】
前記基体の前記主面と前記縁部とがなす角部上に位置する前記保護層の厚みは、前記第１遮光層上に位置する前記保護層の厚みよりも大きい、請求項６に記載の入力装置。
【請求項８】
前記入力領域に対応する前記基体の前記主面上に設けられており、透光性を有した検出電極をさらに備え、
前記保護層は、前記入力領域に対応する基体の主面上に延在しており、
延在した前記保護層は、前記検出電極を被覆している、請求項１〜７のいずれか一項に記載の入力装置。
【請求項９】
前記検出電極に電気的に接続されており、前記第１遮光層上に設けられた検出用配線をさらに備え、
前記検出用配線の少なくとも一部は、前記保護層に被覆されており、平面視して前記第２遮光層に重なっており、
前記第２遮光層は、導電性を有する、請求項８に記載の入力装置。
【請求項１０】
請求項１〜９のいずれか一項に記載の入力装置と、
前記入力装置に対向して配置された表示パネルと、
前記表示パネルを収容した筺体と、を備えた表示装置。
【請求項１１】
請求項１２に記載の表示装置を備えた電子機器。
【発明の詳細な説明】
【技術分野】
【０００１】
本発明は、入力装置、表示装置、および電子機器に関する。
【背景技術】
【０００２】
従来から、入力装置としては、指と検出電極との間における静電容量の変化を捉えて入力位置を検出する静電容量方式のタッチパネルが知られている。このような入力装置は、入力領域および非入力領域を有している。また、非入力領域に対応する基体上には、入力領域を取り囲むように第１遮光層が設けられている（例えば、特許文献１参照）。また、非入力領域に対応する基体上には、入力領域を取り囲むように第２遮光層が設けられている。第２遮光層は、平面視して、一部が第１遮光層よりも基体の端面側に位置しており、残部が第１遮光層の縁部と重なって位置している。
【先行技術文献】
【特許文献】
【０００３】
【特許文献１】特開２００９−３０１７６７号公報
【発明の概要】
【発明が解決しようとする課題】
【０００４】
ところで、第１遮光層および第２遮光層は、例えば、同じ黒色をなしていたとしても、互いに色味が異なる場合がある。第１遮光層の色味と第２遮光層の色味とが互いに異なると、平面視した場合に、第１遮光層から第２遮光層へ変化する部分、および、第２遮光層から第１遮光層へ変化する部分において、色味が大きく変化し、第１遮光層と第２遮光層との境界が視認されてしまう可能性があった。
【０００５】
本発明は、このような事情を鑑みてなされたものであり、その目的は、第１遮光層と第２遮光層との境界が視認されてしまう可能性を低減することができる入力装置、表示装置、および電子機器に関する。
【課題を解決するための手段】
【０００６】
本発明の入力装置における一態様は、入力領域および非入力領域を有した入力装置であって、主面および該主面に隣接する端面を有しており、透光性を有した基体と、前記非入力領域に対応する前記基体の前記主面上に設けられており、前記入力領域を取り囲むように位置する第１遮光層と、前記非入力領域に対応する前記基体の前記主面上に設けられており、前記入力領域を取り囲むように位置しており、平面視して一部が前記第１遮光層よりも前記基体の前記端面側に位置し残部が前記第１遮光層の縁部と重なる第２遮光層と、を備え、前記縁部は、前記基体の前記端面に近づくにつれて厚みが小さくなっている。
【０００７】
本発明の表示装置における一態様は、本発明に係る入力装置と、前記入力装置に対向して配置された表示パネルと、前記表示パネルを収容した筺体と、を備える。
【０００８】
本発明の電子機器における一態様は、本発明に係る表示装置を備える。
【発明の効果】
【０００９】
本発明の入力装置、表示装置、および電子機器は、第１遮光層と第２遮光層との境界が視認されてしまう可能性を低減することができる、という効果を奏する。
【図面の簡単な説明】
【００１０】
【図１】本実施形態に係る入力装置の概略構成を示す平面図である。
【図２】図１中に示したＩ−Ｉ線断面図である。
【図３】図１中に示したＩＩ−ＩＩ線断面図である。
【図４】図１中に示したＩＩＩ−ＩＩＩ線断面図である。
【図５】本実施形態に係る表示装置の概略構成を示す断面図である。
【図６】本実施形態に係る携帯端末の概略構成を示す斜視図である。
【図７】変形例１に係る入力装置の概略構成を示す平面図である。
【図８】変形例１に係る入力装置の概略構成を示す平面図であって、第１遮光層および第２遮光層のみを示した図である。
【図９】図７および図８中に示したＩＶ−ＩＶ線断面図である。
【図１０】変形例２に係る入力装置の概略構成を示す平面図である。
【図１１】図１０中に示したＶ−Ｖ線断面図である。
【図１２】変形例３に係る入力装置の概略構成を示す平面図である。
【図１３】図１２中に示したＶＩ−ＶＩ線断面図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力装置、表示装置、および電子機器は、本明細書が参照する各図に示されていない任意の構成部材を備え得る。
【００１３】
図１に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作を行うことができる領域である。非入力領域Ｅ２は、使用者が入力操作を行うことができない領域である。非入力領域Ｅ２は、入力領域Ｅ１を取り囲むように当該入力領域Ｅ１の外側に位置している。
【００１４】
なお、入力装置Ｘ１は、投影型の静電容量方式のタッチパネルに限らず、例えば、表面型の静電容量方式のタッチパネル、抵抗膜方式のタッチパネル、表面弾性波方式のタッチパネル、光学方式のタッチパネル、あるいは電磁誘導方式のタッチパネルであってもよい。
【００１５】
図１〜４に示すように、入力装置Ｘ１は、基体２、第１検出電極パターン３、第２検出電極パターン４、絶縁体５、第１遮光層６、第１保護層７、検出用配線８、第２保護層９、第２遮光層１０、および保護シート１１を備えている。
【００１６】
なお、図１は、入力装置Ｘ１の概略構成を示した平面図であり、基体２および保護シート１１を透視した図である。図１では、説明の便宜上、絶縁体５の図示は省略する。
【００１７】
基体２は、上述した各部材を支持する役割を有する。基体２は、第１主面２Ａ、第２主面２Ｂ、および端面２Ｃを有する。第１主面２Ａは、第２主面２Ｂよりも使用者側に位置している。第２主面２Ｂは、第１主面２Ａの反対側に位置している。端面２Ｃは、第１主面２Ａおよび第２主面２Ｂに隣接している。具体的には、端面２Ｃは、第１主面２Ａと第２主面２Ｂとの間に位置する面を指す。なお、本実施形態では、基体２は、平面視して略矩形状であるが、これに限らず、多角形状あるいは楕円形状等であってもよい。
【００１８】
基体２は、絶縁性を有するとともに、基体２の第１主面２Ａおよび第２主面２Ｂに交差する方向に入射する光に対して透光性を有する。なお、本実施形態における「透光性」と
は、可視光の一部または全部を透過することを意味する。基体２の構成材料としては、例えば、ガラスあるいはプラスチックが挙げられる。
【００１９】
第１検出電極パターン３は、入力領域Ｅ１に対応する基体２の第１主面２Ａに接近した使用者の指Ｆ１との間において静電容量を発生し、Ｙ方向における入力位置を検出する役割を有する。第１検出電極パターン３は、入力領域Ｅ１に対応する基体２の第２主面２Ｂ上に、Ｙ方向に並んで複数設けられている。また、第１検出電極パターン３は、第１検出電極３ａおよび第１電極間配線３ｂを有する。
【００２０】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、互いに隣り合う第１検出電極３ａの間に設けられている。
【００２１】
第２検出電極パターン４は、入力領域Ｅ１に対応する基体２の第１主面２Ａに接近した使用者の指Ｆ１との間において静電容量を発生し、Ｘ方向における入力位置を検出する役割を有する。第２検出電極パターン４は、入力領域Ｅ１に対応する基体２の第２主面２Ｂ上に、Ｘ方向に並んで複数設けられている。また、第２検出電極パターン４は、第２検出電極４ａおよび第２電極間配線４ｂを有する。
【００２２】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、互いに隣り合う第２検出電極４ａの間において、第１電極間配線３ｂと電気的に絶縁するように、絶縁体５を跨いで当該絶縁体５上に設けられている。
【００２３】
ここで、絶縁体５は、第１電極間配線３ｂを覆うように基体２の第２主面２Ｂ上に設けられている。絶縁体５の構成材料としては、例えば、アクリル樹脂、エポキシ樹脂、シリコーン樹脂、二酸化ケイ素、あるいは窒化珪素等の透明樹脂が挙げられる。
【００２４】
上述の第１検出電極パターン３および第２検出電極パターン４の構成材料としては、透光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子が挙げられる。
【００２５】
第１検出電極パターン３および第２検出電極パターン４の形成方法としては、例えば、上述の材料をスパッタリング法、蒸着法、あるいはＣＶＤ（Chemical Vapor Deposition
）法によって基体２の第２主面２Ｂ上に成膜する。そして、この膜の表面に感光性樹脂を塗布し、露光、現像、エッチング工程を経て、膜がパターニングされることで、第１検出電極パターン３および第２検出電極パターン４が形成される。
【００２６】
第１遮光層６は、入力装置Ｘ１が表示装置Ｙ１に組み込まれた場合に（図５参照）、バックライト３００から入力装置Ｘ１に入射する光を遮光する役割を有する。なお、本実施形態における「遮光」とは、反射あるいは吸収によって可視光の一部または全部を遮蔽することを意味する。第１遮光層６は、非入力領域Ｅ２に対応する基体２の第２主面２Ｂ上に設けられている。第１遮光層６は、入力領域Ｅ１を取り囲むように位置している。
【００２７】
また、第１遮光層６のうち、基体２の端面２Ｃ側の外縁部分を縁部６ａと称する。なお、本実施形態では、第１遮光層６の縁部６ａの断面視幅は、図４に示すように、第１遮光層６の断面視幅の略４分の１であるが、これに限定されず、第１遮光層６の断面視幅の略
４分の１よりも大きくともよいし、小さくともよい。
【００２８】
第１遮光層６の構成材料としては、樹脂材料に着色材料を含んだものが挙げられる。樹脂材料としては、例えば、アクリル系樹脂、エポキシ系樹脂、あるいはシリコーン系樹脂が挙げられる。着色材料としては、例えば、カーボン、チタン、あるいはクロムが挙げられる。なお、第１遮光層６は、黒色に限らず、黒色以外の色を着色していてもよい。第１遮光層６の形成方法としては、例えば、スクリーン印刷法、スパッタリング法、ＣＶＤ法、あるいは蒸着法が挙げられる。
【００２９】
なお、第１遮光層６の縁部６ａは、基体２の端面２Ｃから所定距離以上離れて位置している。このため、入力装置Ｘ１の製造工程において、歩留まりが低下してしまう可能性を低減することができる。具体的には、後述する第２遮光層１０および保護シート１１を基体２上に設ける前の構造体において、基体２の端面２Ｃを研磨する場合、まず、紫外線硬化樹脂を介して構造体を積層し、当該紫外線硬化樹脂を硬化させることにより、複数の構造体の積層体を生成する。次に、積層体の端面をフッ酸によってエッチングすることで、一度の処理で複数の構造体における基体２の端面２Ｃを加工する。
【００３０】
ここで、当該構造体は、第１遮光層６の縁部６ａが、基体２の端面２Ｃから所定距離以上離れて位置しているため、端面２Ｃと第１遮光層６の縁部６ａとの間の領域に位置する紫外線硬化樹脂を十分に硬化させることができる。このため、積層体の端面をエッチングする際に、構造体と紫外線硬化樹脂との間にフッ酸が侵入し、第１検出電極パターン３、第２検出電極パターン４、第１遮光層６、あるいは検出用配線８が腐食してしまう可能性を低減することができる。
【００３１】
第１保護層７は、第１遮光層６を保護する役割を有する。ここで、第１遮光層６を保護する役割としては、例えば、第１遮光層６を水分の吸湿による腐食から保護する役割、あるいは、第１遮光層６の材質が変質してしまう可能性を低減する役割が挙げられる。第１保護層７は、非入力領域Ｅ２に対応する基体２の第２主面２Ｂ上に設けられており、第１遮光層６を被覆している。第１保護層７の構成材料としては、例えば、アクリル系樹脂、シリコーン系樹脂、ゴム系樹脂、ウレタン系樹脂、あるいは、ケイ素を含む無機化合物が挙げられる。第１保護層７の形成方法としては、例えば、転写印刷法、スピンコート法、あるいはスリットコート法が挙げられる。
【００３２】
検出用配線８は、第１検出電極パターン３および第２検出電極パターン４と指Ｆ１との間において発生した静電容量の変化を検出する役割を有する。検出用配線８は、第１遮光層６上に複数位置している。具体的には、検出用配線８は、平面視して第１遮光層６と重なっている。このため、検出用配線８が使用者に視認されてしまう可能性を低減することができる。また、検出用配線８は、第１保護層７上に設けられている。このため、検出用配線８と第１遮光層６とが接触することによって、当該第１遮光層６の材質が変質してしまう可能性を低減することができる。また、第１遮光層６が導電性を有していた場合に、検出用配線８と第１遮光層６とが接触することによって、検出用配線８同士が互いに電気的に導通してしまう可能性を低減することができる。なお、第１保護層７はなくともよく、検出用配線８は、第１遮光層６上に直接設けられていてもよい。
【００３３】
検出用配線８は、一方の群と他方の群とに分けられる。一方の群に含まれる検出用配線８は、一端が第１検出電極パターン３に接続され、他端が外部導通領域Ｇ１に位置している。また、他方の群に含まれる検出用配線８は、一端が第２検出電極パターン４に電気的に接続され、他端が外部導通領域Ｇ１に位置している。
【００３４】
なお、外部導通領域Ｇ１とは、検出用配線８と図示しないフレキシブル配線基板等とを
電気的に接続するための領域である。入力装置Ｘ１では、外部導通領域Ｇ１は、非入力領域Ｅ２に対応する基体２の第２主面２Ｂ上において、基体２の短辺に沿って位置している。外部導通領域Ｇ１に位置する検出用配線８の他端は、フレキシブル配線基板等を介して、図示しない位置検出ドライバに電気的に接続される。
【００３５】
検出用配線８は、硬質で高い形状安定性を得るべく、金属薄膜で形成される。金属薄膜の構成材料としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。金属薄膜の形成方法としては、例えば、スパッタリング法、ＣＶＤ法、あるいは蒸着法が挙げられる。
【００３６】
第２保護層９は、第１検出電極パターン３、第２検出電極パターン４、第１遮光層６、および検出用配線８を水分の吸湿による腐食から保護する役割を有する。第２保護層９は、入力領域Ｅ１および非入力領域Ｅ２に対応する基体２の第２主面２Ｂ上に設けられている。また、第２保護層９は、第１検出電極パターン３、第２検出電極パターン４、第１遮光層６、および検出用配線８を被覆している。
【００３７】
第２保護層９の構成材料としては、例えば、透光性を有する無機材料が挙げられる。透光性を有する無機材料としては、例えば、二酸化ケイ素あるいは窒化ケイ素が挙げられる。第２保護層９を形成する方法としては、例えば、スパッタリング法、イオンプレーティング法、スクリーン印刷法、あるいはインクジェット印刷法が挙げられる。
【００３８】
第２遮光層１０は、入力装置Ｘ１が表示装置Ｙ１に組み込まれた場合に、バックライト３００から入力装置Ｘ１に入射する光を遮光する役割を有する。第２遮光層１０は、非入力領域Ｅ２に対応する基体２の第２主面２Ｂ上に設けられている。具体的には、第２遮光層１０は、非入力領域Ｅ２に対応する第２保護層９上に設けられている。第２遮光層１０は、入力領域Ｅ１を取り囲むように位置している。第２遮光層１０の構成材料および形成方法としては、第１遮光層６と同様のものが挙げられる。なお、第２遮光層１０は、第１遮光層６と同様の色相を有することが好ましい。
【００３９】
第２遮光層１０は、一部１０ａおよび残部１０ｂを有する。第２遮光層１０の一部１０ａは、平面視して第１遮光層６よりも基体２の端面２Ｃ側に位置している。具体的には、第２遮光層１０の一部１０ａは、平面視して基体２の端面２Ｃと第１遮光層６の縁部６ａとの間の領域に位置している。第２遮光層１０の残部１０ｂは、平面視して第１遮光層６と重なっている。なお、入力装置Ｘ１では、第２遮光層１０の残部１０ｂは、平面視して第１遮光層６の全部と重なっているが、これに限らず、第１遮光層６の縁部６ａのみと重なっていてもよい。
【００４０】
ここで、図４に示すように、第１遮光層６の縁部６ａは、基体２の端面２Ｃに近づくにつれて厚みが小さくなっている。このため、入力装置Ｘ１では、第１遮光層６と第２遮光層１０との境界が視認されてしまう可能性を低減することができる。
【００４１】
具体的には、第１遮光層の縁部は、上述したように、基体の端面を加工する目的で、基体の端面から所定距離以上離れて設けられている。このため、入力装置が表示装置に組み込まれた場合に、バックライトから入力装置に入射した光が、第１遮光層の縁部と基体の端面との間の領域から漏れてしまう可能性があった。第１遮光層の縁部と基体の端面との間の領域から光が漏れてしまう可能性を低減するためには、当該領域に対応する基体の第２主面上に、第２遮光層を設ける必要があった。しかしながら、第１遮光層と第２遮光層とは、それぞれ個別の工程で基体上に設けられるため、厚みあるいは材料の成分比が異なることになる。そのため、第１遮光層の色味と第２遮光層の色味とが異なることになり、
平面視した場合に、第１遮光層から第２遮光層へ変化する部分、および、第２遮光層から第１遮光層へ変化する部分において、色味が大きく変化してしまう可能性があった。
【００４２】
そこで、入力装置Ｘ１では、第２遮光層１０は、一部１０ａが第１遮光層６よりも基体２の端面２Ｃ側に位置しており、残部１０ｂが第１遮光層６の縁部６ａと重なっている。また、第１遮光層６の縁部６ａは、基体２の端面２Ｃに近づくにつれて厚みが小さくなっている。このため、平面視して第１遮光層６と第２遮光層１０とが重なる領域において、第１遮光層６の色味を段階的に変化させることができる。そのため、平面視した場合に、第１遮光層６の縁部６ａから第２遮光層１０の一部１０ａへ変化する部分、および、第２遮光層１０の一部１０ａから第１遮光層６の縁部６ａへ変化する部分において、色味が大きく変化してしまう可能性を低減することができる。そのため、入力装置Ｘ１では、第１遮光層６と第２遮光層１０との境界が視認されてしまう可能性を低減することができる。
【００４３】
なお、本実施形態では、第１遮光層６の縁部６ａの表面は、傾斜面をなしているが、これに限らない。第１遮光層６の縁部６ａの表面は、凸曲面または凹曲面をなしていてもよい。また、第１遮光層６の縁部６ａの表面は、滑らかである必要はなく、当該表面に凹凸が生じていたとしても、全体として基体２の端面２Ｃに近づくにつれて厚みが小さくなっていればよい。
【００４４】
また、本実施形態のように、検出用配線８は、第１遮光層６の縁部６ａ以外の部位上に位置していることが好ましい。第１遮光層６の縁部６ａは、基体２の端面２Ｃに近づくにつれて厚みが小さくなっているため、第１遮光層６の縁部６ａ以外の部位に比して、遮光性が低くなっている。このため、検出用配線８が第１遮光層６の縁部６ａ以外の部位上に位置していると、検出用配線８が第１遮光層６の縁部６ａ上に位置している場合に比して、検出用配線８が使用者に視認されてしまう可能性を低減することができる。
【００４５】
また、本実施形態のように、検出用配線８は、第２保護層９に被覆されており、平面視して第２遮光層１０の残部１０ｂと重なっていることが好ましい。検出用配線８が平面視して第２遮光層１０の残部１０ｂと重なっていると、入力装置Ｘ１が表示装置Ｙ１に組み込まれた場合に、バックライト３００から出射した光の光量が相対的に大きい場合であっても、検出用配線８が使用者に視認されてしまう可能性を低減することができる。
【００４６】
また、第２遮光層１０は、導電性を有していてもよい。第２遮光層１０が導電性を有していると、入力装置Ｘ１が表示装置Ｙ１に組み込まれた場合に、表示パネル２００から発生した電気的ノイズの一部または全部を、第２遮光層１０によって遮断することができる。このため、当該電気的ノイズが検出用配線８に混入することによって入力装置Ｘ１の検出精度が低下してしまう可能性を低減することができる。
【００４７】
保護シート１１は、使用者の指Ｆ１の接触によって基体２の第１主面２Ａを傷付けないように保護する役割を有する。保護シート１１は、図示しない粘着材を介して、入力領域Ｅ１および非入力領域Ｅ２に対応する基体２の第１主面２Ａの全面に亘って設けられている。なお、保護シート１１は、入力領域Ｅ１に対応する基体２の第１主面２Ａ上にのみ設けられていてもよい。保護シート１１の構成材料としては、例えば、ガラスあるいはプラスチックが挙げられる。
【００４８】
次に、入力装置Ｘ１の検出原理について説明する。
【００４９】
位置検出ドライバは、フレキシブル配線基板等を介して、外部導通領域Ｇ１に位置する検出用配線８の他端に電気的に接続されている。位置検出ドライバは、例えば、フレキシブル配線基板上、あるいは表示装置Ｙ１の回路基板４００上に設けられている。また、位
置検出ドライバは、電源装置を備えている。電源装置は、検出用配線８を介して、第１検出電極パターン３および第２検出電極パターン４に電圧を供給している。ここで、入力領域Ｅ１に対応する基体２の第１主面２Ａに、保護シート１１を介して導電体である指Ｆ１が近接、接触、または押圧すると、指Ｆ１と第１検出電極パターン３および第２検出電極パターン４との間において静電容量が発生する。位置検出ドライバは、第１検出電極パターン３および第２検出電極パターン４において発生する静電容量を常に検出しており、所定値以上の静電容量を検出した第１検出電極パターン３および第２検出電極パターン４の組合せによって、使用者が入力操作を行った入力位置を検出する。このようにして、入力装置Ｘ１は、入力位置を検出することができる。
【００５０】
以上のように、入力装置Ｘ１では、第１遮光層６と第２遮光層１０との境界が視認されてしまう可能性を低減することができる。
【００５１】
次に、入力装置Ｘ１を備えた表示装置Ｙ１について、図５を参照しながら説明する。ここで、図５は、表示装置Ｙ１の概略構成を示す断面図である。
【００５２】
図５に示すように、本実施形態に係る表示装置Ｙ１は、入力装置Ｘ１、第１筐体１００、表示パネル２００、バックライト３００、および回路基板４００を備えている。
【００５３】
入力装置Ｘ１は、第１筐体１００に収容されている。第１筐体１００の構成材料としては、例えば、ポリカーボネート等の樹脂、あるいは、ステンレス、アルミニウム等の金属が挙げられる。また、入力装置Ｘ１は、第１筐体１００の支持部１０１上に設けられている。
【００５４】
表示パネル２００は、画像あるいは動画を表示する役割を有する。表示パネル２００は入力装置Ｘ１に対向して配置され、第１筐体１００に収容されている。なお、入力装置Ｘ１および表示パネル２００は、所定の間隔をあけて配置されているが、これに限らず、入力装置Ｘ１が固定部材を介して表示パネル２００上に設けられていてもよい。固定部材としては、例えば、両面テープ、熱硬化性樹脂、紫外線硬化性樹脂、あるいはねじ等の止め具が挙げられる。なお、本実施形態に係る表示パネル２００は、液晶構造体を用いた液晶パネルであるが、これに限らず、プラズマディスプレイ、有機ＥＬディスプレイ、ＦＥＤ（Field Emission Display）、ＳＥＤ（Surface-conduction Electron-emitter Display
）、あるいは電子ペーパであってもよい。
【００５５】
バックライト３００は、表示パネル２００の下面全体にわたって、光を入射する役割を有する。バックライト３００は、表示パネル２００の後方に配置されている。バックライト３００は、光源３０１および導光板３０２を備えている。光源３０１は、導光板３０２に向けて光を出射する役割を担う部材であり、ＬＥＤ（Light Emitting Diode）から構成されている。なお、光源３０１はＬＥＤから構成されていなくともよく、例えば、冷陰極蛍光ランプ、ハロゲンランプ、キセノンランプあるいはＥＬ（Electro-Luminescence）から構成されてもよい。導光板３０２は、表示パネル２００の下面全体にわたって、光源３０１からの光を略均一に導くための役割を担う部材である。なお、表示パネル２００の代わりに自発光素子を用いた表示パネルを用いる場合は、バックライト３００はなくともよい。
【００５６】
回路基板４００は、表示パネル２００およびバックライト３００を制御する制御回路、抵抗器、あるいはコンデンサ等の電子部品を支持する役割を有する。回路基板４００は、バックライト３００の後方に配置されている。回路基板４００上に位置する制御回路は、図示しないフレキシブル配線基板等によって、表示パネル２００およびバックライト３００と電気的に接続されている。
【００５７】
このように、表示装置Ｙ１は、表示パネル２００を、入力装置Ｘ１を介して透視しながら、入力装置Ｘ１の入力領域Ｅ１を入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５８】
以上のように、表示装置Ｙ１では、入力装置Ｘ１を備えているため、第１遮光層６と第２遮光層１０との境界が視認されてしまう可能性を低減することができる。
【００５９】
次に、表示装置Ｙ１を備えた携帯端末Ｚ１について、図６を参照しながら説明する。
【００６０】
図６に示すように、本実施形態に係る携帯端末Ｚ１は、スマートフォン端末である。なお、携帯端末Ｚ１は、スマートフォン端末に限らず、例えば、携帯電話、タブレット端末、あるいはＰＤＡ（Personal Digital Assistant）等の電子機器であってもよい。
【００６１】
携帯端末Ｚ１は、表示装置Ｙ１、音声入力部５０１、音声出力部５０２、キー入力部５０３、および第２筐体５０４を備えている。
【００６２】
音声入力部５０１は、使用者の音声等を入力する役割を有し、マイク等により構成されている。音声出力部５０２は、相手方からの音声等を出力する役割を有し、電磁スピーカあるいは圧電スピーカ等により構成されている。キー入力部５０３は、機械的なキーにより構成されている。キー入力部５０３は、表示画面に表示された操作キーであってもよい。第２筐体５０４は、表示装置Ｙ１、音声入力部５０１、音声出力部５０２、およびキー入力部５０３を収容する役割を有する。なお、第２筐体５０４はなくともよく、表示装置Ｙ１の第１筐体１００に音声入力部５０１、音声出力部５０２、およびキー入力部５０３が収容されていてもよい。第２筐体５０４の構成材料としては、第１筐体１００と同様のものが挙げられる。
【００６３】
他にも、携帯端末Ｚ１は、必要な機能に応じて、デジタルカメラ機能部、ワンセグ放送用チューナ、赤外線通信機能部等の近距離無線通信部、無線ＬＡＮモジュール、および各種インタフェース等を備える場合もあるが、これらの詳細についての図示および説明は省略する。
【００６４】
以上のように、携帯端末Ｚ１は、表示装置Ｙ１を備えているため、第１遮光層６と第２遮光層１０との境界が視認されてしまう可能性を低減することができる。
【００６５】
ここで、表示装置Ｙ１は、上記の携帯端末Ｚ１の代わりに、電子手帳、パーソナルコンピュータ、複写機、ゲーム用の端末装置、テレビ、デジタルカメラ、あるいは産業用途で使用されるプログラマブル表示器等の様々な電子機器に備えられていてもよい。
【００６６】
なお、上述した実施形態は、本発明の実施形態の一具体例を示したものであり、種々の変形が可能である。以下、いくつかの主な変形例を示す。
【００６７】
［変形例１］
図７は、変形例１に係る入力装置Ｘ２の概略構成を示す平面図である。図８は、変形例１に係る入力装置Ｘ２に係る概略構成を示す平面図であり、第１遮光層２１および第２遮光層２２のみを示した図である。図９は、図７および図８中に示したＩＶ−ＩＶ線断面図
である。なお、図７および９において、図１および５と同様の機能を有する構成については、同じ参照符号を付記し、その詳細な説明は省略する。
【００６８】
図７〜９に示すように、入力装置Ｘ２では、入力装置Ｘ１が備える第１遮光層６および第２遮光層１０の代わりに、第１遮光層２１および第２遮光層２２を備えている。
【００６９】
第１遮光層２１は、非入力領域Ｅ２に対応する基体２の第２主面２Ｂ上に設けられている。第１遮光層２１は、入力領域Ｅ１を取り囲むように位置している。また、第１遮光層２１のうち、基体２の端面２Ｃ側の外縁部分を縁部２１ａと称する。縁部２１ａは、基体２の端面２Ｃに近づくにつれて厚みが小さくなっている。
【００７０】
第２遮光層２２は、非入力領域Ｅ２に対応する基体２の第２主面２Ｂ上に設けられている。第２遮光層２２は、入力領域Ｅ１を取り囲むように位置している。第２遮光層２２は、一部２２ａおよび残部２２ｂを有する。第２遮光層２２の一部２２ａは、平面視して第１遮光層２１よりも基体２の端面２Ｃ側に位置している。第２遮光層２２の残部２２ｂは、平面視して第１遮光層２１の縁部２１ａと重なっている。
【００７１】
ここで、第１遮光層２１の縁部２１ａには、入力領域Ｅ１を取り囲むように複数の窪み部２１ｂが設けられている。このため、平面視して第１遮光層２１の縁部２１ａと第２遮光層２２の残部２２ｂとが重なる領域において、第１遮光層２１の色味と第２遮光層２２の色味とを混在させることができる。そのため、第１遮光層２１と第２遮光層２２との境界が視認されてしまう可能性をより低減することができる。
【００７２】
なお、変形例１のように、窪み部２１ｂは、第１遮光層２１を貫通していることが好ましい。窪み部２１ｂが第１遮光層２１を貫通していると、平面視して第１遮光層２１の縁部２１ａと第２遮光層２２の残部２２ｂとが重なる領域において、第１遮光層２１の色味と第２遮光層２２の色味とをより混在させることができる。
【００７３】
また、本実施形態のように、第２遮光層２２の残部２２ｂは、窪み部２１ｂに入り込んでいることが好ましい。第２遮光層２２の残部２２ｂが窪み部２１ｂに入り込んでいると、アンカー効果によって、第２遮光層２２に剥がれが生じる可能性を低減することができる。なお、変形例１において「第２遮光層２２の残部２２ｂは、窪み部２１ｂに入り込んでいる」とは、第２遮光層２２が、少なくとも窪み部２１ｂが位置する領域に存在していればよく、窪み部２１ｂが位置する領域において第１遮光層２１と第２遮光層２２とが接している必要はない。変形例１では、第２遮光層２２の残部２２ｂは、窪み部２１ｂが位置する領域において、第１保護層７に接している。
【００７４】
また、変形例１では、窪み部２１ｂの平面視形状は、楕円形状を有しているが、これに限らず、円形状あるいは多角形状であってもよい。
【００７５】
また、第１遮光層２１の縁部２１ａは、第１部位２１Ａおよび第２部位２１Ｂを含んでいる。第１部位２１Ａは、図８に示す１点鎖線で囲んだ部位である。第２部位２１Ｂは、図８に示す２点鎖線で囲んだ部位である。第２部位２１Ｂは、第１部位２１Ａよりも入力領域Ｅ１側に位置しており、且つ第１部位２１Ａと隣り合って位置している。
【００７６】
ここで、複数の窪み部２１ｂは、平面視して基体２の各辺に沿うように列状に配置された第１の群と、基体２の各辺に沿って列状に配置されており且つ第１の群よりも入力領域Ｅ１側に位置する第２の群とに分けられる。第１部位２１Ａには、第１の群に含まれる窪み部２１ｂが一つ設けられている。第２部位２１Ｂには、第２の群に含まれる窪み部２１ｂが一つ設けられている。第１部位２１Ａに設けられた窪み部２１ｂの平面視における開
口面積は、第２部位２１Ｂに設けられた窪み部２１ｂの平面視における開口面積よりも大きい。このため、平面視して第１遮光層２１の縁部２１ａと第２遮光層２２の残部２２ｂとが重なる領域において、色味を段階的に変化させることができる。そのため、第１遮光層２１と第２遮光層２２との境界が視認されてしまう可能性をより低減することができる。
【００７７】
なお、変形例１では、複数の窪み部２１ｂは、列状に配置された第１の群と第２の群とに分けられるが、これに限らず、ランダムに配置されていてもよい。
【００７８】
［変形例２］
図１０は、変形例２に係る入力装置Ｘ３の概略構成を示す平面図である。図１１は、図１０中に示したＶ−Ｖ線断面図である。なお、図１０および１１において、図１および４と同様の機能を有する構成については、同じ参照符号を付記し、その詳細な説明は省略する。
【００７９】
図１０および１１に示すように、入力装置Ｘ３では、入力装置Ｘ１が備える第１遮光層６の代わりに、第１遮光層３１を備えている。第１遮光層３１は、非入力領域Ｅ２に対応する基体２の第２主面２Ｂ上に設けられている。第１遮光層３１は、入力領域Ｅ１を取り囲むように位置している。また、第１遮光層３１のうち、基体２の端面２Ｃ側の外縁部分を縁部３１ａと称する。縁部３１ａは、基体２の端面２Ｃに近づくにつれて厚みが小さくなっている。
【００８０】
ここで、第１遮光層３１の縁部３１ａの表面は、凹曲面をなしている。このため、第１遮光層３１の縁部３１ａと基体２の第２主面２Ｂとがなす角部Ｃ１の角度を相対的に小さくすることができる。そのため、第２遮光層１０を形成した際に、角部Ｃ１近傍において、第１遮光層３１と第２遮光層１０との間に気泡が混入し、当該気泡が使用者に視認されてしまう可能性を低減することができる。
【００８１】
［変形例３］
図１２は、変形例３に係る入力装置Ｘ４の概略構成を示す平面図である。図１３は、図１２中に示したＶＩ−ＶＩ線断面図である。なお、図１２および１３において、図１および図４と同様の機能を有する構成については、同じ参照符号を付記し、その詳細な説明は省略する。
【００８２】
図１２および１３に示すように、入力装置Ｘ４では、入力装置Ｘ１が備える第１保護層７の代わりに、第１保護層４１を備えている。第１保護層４１は、非入力領域Ｅ２に対応する基体２の第２主面２Ｂ上に設けられており、第１遮光層６を被覆している。ここで、基体２の第２主面２Ｂと第１遮光層６とがなす角部Ｃ２上に位置する第１保護層４１の厚みＤ１は、第１遮光層６上に位置する第１保護層４１の厚みよりも大きい。このため、第１保護層４１の表面に生じる凹凸を緩やかにすることができる。そのため、第１保護層４１と、第２保護層９を介して当該第１保護層４１上に設けられた第２遮光層１０との間に気泡が混入し、当該気泡が使用者に視認されてしまう可能性を低減することができる。
【００８３】
なお、変形例３における「角部Ｃ２に位置する第１保護層４１の厚みＤ１」とは、角部Ｃ２から第１保護層４１の表面までの最短距離を指す。また、変形例３における「第１遮光層６上に位置する第１保護層４１の厚みＤ２」とは、第１遮光層６の表面から第１保護層４１の表面までの最短距離を指す。
【００８４】
［変形例４］
なお、本明細書は、上記の実施形態および変形例１〜３について個別具体的に説明した
が、これに限らず、上記の実施形態および変形例１〜３に個別に記載された事項を適宜組み合わせた例についても記載されているものである。すなわち、本発明に係る入力装置は、入力装置Ｘ１〜４に限定されるものではなく、上記の実施形態および変形例１〜３に個別に記載された事項を適宜組み合わせた入力装置も含む。
【００８５】
また、本実施形態では、入力装置Ｘ１を備えた表示装置Ｙ１について説明したが、これに限らず、入力装置Ｘ１に代えて、入力装置Ｘ２〜４を採用してもよい。また、本実施形態では、入力装置Ｘ１を備えた携帯端末Ｚ１について説明したが、これに限らず、入力装置Ｘ１に代えて、入力装置Ｘ１〜４を採用してもよい。
【符号の説明】
【００８６】
Ｘ１〜Ｘ４  入力装置
Ｙ１  表示装置
Ｚ１  携帯端末（電子機器）
Ｅ１  入力領域
Ｅ２  非入力領域
Ｃ１，Ｃ２  角部
２  基体
２Ｂ  基体の第２主面（基体の主面）
２Ｃ  基体の端面
３ａ  第１検出電極３ａ
６，２１，３１  第１遮光層
６ａ，２１ａ，３１ａ  縁部
２１ｂ  窪み部
２１Ａ  第１部位
２１Ｂ  第２部位
７，４１  第１保護層（保護層）
８  検出用配線
９  第２保護層（保護層）
１０，２２  第２遮光層
１０ａ，２２ａ  第２遮光層の一部
１０ｂ，２２ｂ  第２遮光層の残部
１００  第１筐体（筐体）
３００  表示パネル
【図２】
2014075080.tif 000003
【図３】
2014075080.tif 000004
【図５】
2014075080.tif 000005
【図１】
2014075080.tif 000006
【図４】
2014075080.tif 000007
【図６】
2014075080.tif 000008
【図７】
2014075080.tif 000009
【図８】
2014075080.tif 000010
【図９】
2014075080.tif 000011
【図１０】
2014075080.tif 000012
【図１１】
2014075080.tif 000013
【図１２】
2014075080.tif 000014
【図１３】
2014075080.tif 000015